(57)【要約】【課題】遠心ファン羽根車側の空気吸込口側に沿って一方向から空気吸込口に空気を案内する空気吸込流路を付設した送風装置において、空気吸込口付近に安定した旋回流を形成し、風量−圧力特性を向上させるとともに静音化、軸動力の低減を図る。【解決手段】本願発明は、上記空気吸込流路の上記遠心ファンの羽根車の空気吸込口中心部よりも空気取入れ口側に、上記遠心ファン羽根車の空気吸込方向に沿った吸込み旋回流を形成するための整流部材を設けて整流することによって、空気吸込口周辺に安定した吸込旋回流を形成することができるようにして、風量−圧力特性を向上させるとともに静音化、軸動力の低減を図った。【選択図】        図１
2010121616.tif 000002
【特許請求の範囲】
【請求項１】
遠心ファンと、該遠心ファンの羽根車外周に設けられた空気吹出通路と、上記遠心ファンの羽根車の空気吸込口を包囲する形で設けられ、上記遠心ファンの羽根車の軸直交方向に空気の取入れ口が開口された空気吸込流路とを備えてなる送風装置であって、上記空気吸込流路の上記遠心ファンの羽根車の空気吸込口中心部よりも空気取入れ口側には、上記遠心ファン羽根車の空気吸込口部分に安定した吸込旋回流を形成するための整流部材が設けられていることを特徴とする送風装置。
【請求項２】
遠心ファンと、該遠心ファンの羽根車外周に設けられた空気吹出通路と、上記遠心ファンの羽根車の空気吸込口を包囲する形で設けられ、上記遠心ファンの羽根車の軸直交方向に空気の取入れ口が開口された空気吸込流路とを備えてなる送風装置であって、上記空気吸込流路の上記遠心ファンの羽根車の空気吸込口中心部よりも空気取入れ口側には、上記遠心ファン羽根車の空気吸込口部分に安定した吸込旋回流を形成するための、上記空気吸込流路の側面に略平行な整流部材が設けられていることを特徴とする送風装置。
【請求項３】
整流部材は、遠心ファン羽根車の空気吸込口よりも直径方向外側に位置して設けられていることを特徴とする請求項１又は２記載の送風装置。
【請求項４】
整流部材は、上流側空気流との対向面が大径のアール面で、下流側になるほど厚さが薄くなる断面紡錘形状のものよりなっていることを特徴とする請求項１，２又は３記載の送風装置。
【請求項５】
整流部材は、上流側空気流との対向部が円柱体で、同円柱体よりも下流側が板状体のものよりなっていることを特徴とする請求項１，２又は３記載の送風装置。
【請求項６】
整流部材は、遠心ファン羽根車の空気吸込方向に傾斜して設置されていることを特徴とする請求項４又は５記載の送風装置。
【請求項７】
整流部材は、その内側面を空気吸込流の旋回方向に沿った湾曲面に形成されていることを特徴とする請求項６記載の送風装置。
【請求項８】
整流部材は、上流側空気流との対向面がアール面の円弧状のものよりなっていることを特徴とする請求項１，２又は３記載の送風装置。
【請求項９】
整流部材は、上流側空気流との対向面がアール面の円柱体又は半円柱体状のものよりなっていることを特徴とする請求項１，２又は３記載の送風装置。
【請求項１０】
整流部材は、空気吸込流路の筺体底板上に一体成形により立設され、遠心ファン本体の下面に対して同空気吸込流路の筺体を固定する取付部材を兼ねていることを特徴とする請求項１，２，３，４，５，６，７，８又は９記載の送風装置。
【請求項１１】
空気吹出通路は斜流遠心方向の空気吹出通路に形成され、遠心ファンの羽根車の空気吸込口は、空気吸込流路中に突出した構成となっているとともに、空気吸込流路は、上記遠心ファンの羽根車の突出した空気吸込口の外周囲を囲み、かつ斜流遠心方向の空気吹出通路とその通路壁を介して仕切られていることを特徴とする請求項１，２，３，４，５，６，７，８，９又は１０記載の送風装置。
【請求項１２】
空気吸込流路底面の遠心ファンの羽根車の空気吸込口との対向部には、略円錐形状の整流部材が設けられていることを特徴とする請求項１，２，３，４，５，６，７，８，９，１０又は１１記載の送風装置。
【請求項１３】
空気吸込流路終端の隅部には、断面三角形状の気流ガイド部材が設けられていることを特徴とする請求項１，２，３，４，５，６，７，８，９，１０，１１又は１２記載の送風装置。
【請求項１４】
遠心ファンの羽根車は、シュラウドのない多翼羽根車であることを特徴とする請求項１，２，３，４，５，６，７，８，９，１０，１１，１２又は１３記載の送風装置。
【請求項１５】
空気調和手段と組み合わせ、空気調和機用の送風手段として構成されていることを特徴とする請求項１，２，３，４，５，６，７，８，９，１０，１１，１２，１３又は１４記載の送風装置。
【請求項１６】
空気吸込流路の空気流入口を長手方向に延設し、該延設部に機外空気を取り入れるための外気吸入口を設けるとともに、該外気吸入口の下流側に除湿手段を設け、該除湿手段を介して除湿された空気を上記空気吸込流路を介して遠心ファンに供給する除湿装置に適用したことを特徴とする請求項１，２，３，４，５，６，７，８，９，１０，１１，１２，１３又は１４記載の送風装置。
【発明の詳細な説明】
【技術分野】
【０００１】
本願発明は、遠心ファンを備えた送風装置に関し、さらに詳しくは遠心ファン羽根車の空気吸込口側に沿って軸直交方向の一方向から空気吸込口に空気を案内する空気吸込流路を付設した送風装置に関するものである。
【背景技術】
【０００２】
遠心ファンを備えた送風装置において、設置形態によっては、遠心ファン羽根車の空気吸込口から直接吸込空気を吸い込むことが難しい場合があるが、そのような場合には、一般に遠心ファン羽根車の空気吸込口に沿って軸直交方向の一方向から空気吸込口に吸込空気を案内する空気吸込流路（空気案内流路）を付設した送風装置が用いられている（例えば特許文献１参照）。
【先行技術文献】
【特許文献】
【０００３】
【特許文献１】特開２００６−２９９９５３号公報
【発明の概要】
【発明が解決しようとする課題】
【０００４】
しかし、このような空気吸込流路を設けたものの場合、ファン羽根車の円形の空気吸込口に対して一方向からのみ不均一に空気が供給されることから、どうしても羽根車の空気吸込口部分に不安定な流れが生じやすく、風量−静圧特性が不安定となり、運転音が大きくなる問題があった。
【０００５】
本願発明は、このような問題を解決するためになされたもので、上記空気吸込流路中の上記遠心ファン羽根車の空気吸込口中心部よりも空気取入れ口側に偏位した位置に、整流部材を設けて吸込気流を整流することによって、ファン羽根車の空気吸込口周辺に安定した旋回流を形成することができるようにすることによって、風量−圧力特性を向上させるとともに、静音化、軸動力の低減を図った高性能の送風装置を提供することを目的とするものである。
【課題を解決するための手段】
【０００６】
本願発明は、同目的を達成するために、次のような課題解決手段を備えて構成されている。
【０００７】
（１）  請求項１の発明の課題解決手段
この発明の課題解決手段は、遠心ファンと、該遠心ファンの羽根車外周に設けられた空気吹出通路と、上記遠心ファンの羽根車の空気吸込口を包囲する形で設けられ、上記遠心ファンの羽根車の軸直交方向に空気の取入れ口が開口された空気吸込流路とを備えてなる送風装置であって、上記空気吸込流路の上記遠心ファンの羽根車の空気吸込口中心部よりも空気取入れ口側には、上記遠心ファン羽根車の空気吸込口部分に安定した吸込旋回流を形成するための整流部材が設けられていることを特徴としている。
【０００８】
このような構成によると、上記整流部材による整流効果によって、遠心ファン羽根車の空気吸込口部分に吸込方向に沿う安定した吸込旋回流が形成される。
【０００９】
その結果、風量−圧力特性が向上し、静音化、軸動力の低減が実現される。
【００１０】
（２）  請求項２の発明の課題解決手段
この発明の課題解決手段は、遠心ファンと、該遠心ファンの羽根車外周に設けられた空気吹出通路と、上記遠心ファン羽根車の空気吸込口を包囲する形で設けられ、上記遠心ファン羽根車の軸直交方向に空気の取入れ口が開口された空気吸込流路とを備えてなる送風装置であって、上記空気吸込流路の上記遠心ファン羽根車の空気吸込口中心部よりも空気取入れ口側には、上記遠心ファン羽根車の空気吸込口部分に安定した吸込旋回流を形成するための、上記空気吸込流路の側面に略平行な整流部材が設けられていることを特徴としている。
【００１１】
このような構成によると、上記空気吸込流路の側面に略平行な整流部材による整流効果によって遠心ファン羽根車の空気吸込口部分に吸込方向に沿う安定した吸込旋回流が形成される。
【００１２】
その結果、風量−圧力特性が向上し、静音化、軸動力の低減が実現される。
【００１３】
（３）  請求項３の発明の課題解決手段
この発明の課題解決手段は、上記請求項１又は２の発明の課題解決手段の構成において、整流部材は、遠心ファン羽根車の空気吸込口外周よりも直径方向外側に位置して設けられていることを特徴としている。
【００１４】
種々の試験の結果、上記整流部材が最も有効に作動する設置範囲が、この位置であり、この設置範囲では安定した吸込旋回流を形成することができる。
【００１５】
（４）  請求項４の発明の課題解決手段
この発明の課題解決手段は、上記請求項１，２又は３の発明の課題解決手段の構成において、整流部材は、上流側空気流との対向面が大径のアール面で、下流側になるほど厚さが薄くなる断面紡錘形状のものよりなっていることを特徴としている。
【００１６】
このような構成によると、略断面紡錘形状の整流部材の整流効果により、安定した吸込み旋回流が形成され、風量−圧力特性の向上、静音化、軸動力の低減が図られる。
【００１７】
（５）  請求項５の発明の課題解決手段
この発明の課題解決手段は、上記請求項１，２又は３の発明の課題解決手段の構成において、整流部材は、上流側空気流との対向部が円柱体で、同円柱体よりも下流側が板状体のものよりなっていることを特徴としている。
【００１８】
このような構成によると、同円柱体と板状体の組合せよりなる整流部材の整流効果により、安定した吸込み旋回流が形成され、風量−圧力特性の向上、静音化、軸動力の低減が図られる。
【００１９】
（６）  請求項６の発明の課題解決手段
この発明の課題解決手段は、上記請求項４又は５の発明の課題解決手段の構成において、整流部材は、遠心ファン羽根車の空気吸込方向に傾斜して設置されていることを特徴としている。
【００２０】
上記請求項１，２又は３の発明の課題解決手段の構成の構成によると、当該整流部材の整流効果により、それぞれ遠心ファン羽根車空気吸込口の吸込方向に沿った安定した吸込み旋回流が形成され、風量−圧力特性の向上、静音化、軸動力の低減が図られる。
【００２１】
ところが、同整流部材が、上流側空気流との対向面が大径のアール面で、下流側になるほど厚さが薄くなる断面紡錘形状のものである請求項３の場合や上流側空気流との対向部が円柱体で、同円柱体よりも下流側が板状体のものである請求項４の場合のように、空気吸込流路の側面と並設される上流側から下流側に厚さ（幅）方向の寸法を超える所定値以上の長さの整流面を有したものである場合には、当該整流面の遠心ファン羽根車の空気吸込口に面する側で大きな剥離が生じ、その剥離が同空気吸込口から羽根車内に流入し、性能の劣化（送風音増加）を招く（外側は背面に沿って後端から空気吸込口の中心に向かって流入し、内側は先端から略空気吸込口中心に向かって流入するので）。
【００２２】
しかし、以上のような構成にすると、上述した空気吸込口側面での剥離が減少し、スムーズな吸込流れとなって性能が向上（送風音が低減）する。
【００２３】
（７）  請求項７の発明の課題解決手段
この発明の課題解決手段は、上記請求項６の発明の課題解決手段の構成において、整流部材は、その内側面を空気吸込流の旋回方向に沿った湾曲面に形成されていることを特徴としている。
【００２４】
このような構成によると、上述した空気吸込口側面での剥離が減少し、よりスムーズな吸込流れとなって、上記請求項６の発明の課題解決手段の整流部材の整流効果がより向上し、安定した吸込み旋回流が形成されるようになるので、さらなる風量−圧力特性の向上、静音化、軸動力の低減が図られる。
【００２５】
（８）  請求項８の発明の課題解決手段
この発明の課題解決手段は、上記請求項１，２又は３の発明の課題解決手段の構成において、整流部材は、上流側空気流との対向面がアール面の円弧状のものよりなっていることを特徴としている。
【００２６】
このような構成によると、上述した空気吸込口側面での剥離が確実に減少し、スムーズな吸込流れになるとともに、同整流効果がより向上し、安定した吸込み旋回流が形成されるようになるので、さらなる風量−圧力特性の向上、静音化、軸動力の低減が図られる。
【００２７】
（９）  請求項９の発明の課題解決手段
この発明の課題解決手段は、上記請求項１，２又は３の発明の課題解決手段の構成において、整流部材は、上流側空気流との対向面がアール面の円柱体又は半円柱体状のものよりなっていることを特徴としている。
【００２８】
このような構成によると、上述した空気吸込口側面での剥離が確実に減少し、スムーズな吸込流れになるとともに、同整流効果がより向上し、安定した吸込み旋回流が形成されるようになるので、さらなる風量−圧力特性の向上、静音化、軸動力の低減が図られる。
【００２９】
（１０）  請求項１０の発明の課題解決手段
この発明の課題解決手段は、上記請求項１，２，３，４，５，６，７，８又は９の発明の課題解決手段の構成において、整流部材は、空気吸込流路の筺体底板上に一体成形により立設され、遠心ファン本体の下面に対して同空気吸込流路の筺体を固定する取付部材を兼ねていることを特徴としている。
【００３０】
このような構成にした場合、例えば上記整流部材をビス止め溝等の窪み付のものにすることにより、同窪み部をビス取付け座として有効に利用することができる。
【００３１】
従来の空気吸込流路の側面から延設されたビス取付け座は吸込み流れを乱し、ファン性能を劣化させていた。特に羽根車の空気吸込口が羽根の内径よりも大きくて、翼端からも空気が流入するシュラウドレス翼のターボファンでは、静音特性が顕著に劣化していた（シロッコファンでは悪影響は比較的小さいが・・・）。
【００３２】
これを確実に解決することができる。
【００３３】
（１１）  請求項１１の発明の課題解決手段
この発明の課題解決手段は、上記請求項１，２，３，４，５，６，７，８，９又は１０の発明の課題解決手段の構成において、空気吹出通路は斜流遠心方向の空気吹出通路に形成され、遠心ファン羽根車の空気吸込口は、空気吸込流路中に突出した構成となっているとともに、空気吸込流路は、上記遠心ファン羽根車の突出した空気吸込口の外周囲を囲み、かつ斜流遠心方向の空気吹出流路とその通路壁を介して仕切られていることを特徴としている。
【００３４】
このような構成によると、遠心ファン羽根車の空気吸込口が円弧状の環状部となり、同円弧状の環状部により縮流作用が実現され、それによる整流効果によって空気吸込口部分に安定した吸込旋回流が形成される。
【００３５】
その結果、風量−圧力特性が向上し、静音化、軸動力の低減が実現される。
【００３６】
また、この場合に、同円弧状の環状部を略長楕円状環状部（外周端面が丸み付、あるいは丸みなしなど）にすれば、より良好な縮流整流効果が図られるので、さらに良好な性能を得ることができる。
【００３７】
（１２）  請求項１２の発明の課題解決手段
この発明の課題解決手段は、上記請求項１，２，３，４，５，６，７，８，９，１０又は１１の発明の課題解決手段の構成において、空気吸込流路通路壁の遠心ファン羽根車の空気吸込口との対向部には、略円錐形状の整流部材が設けられていることを特徴としている。
【００３８】
このような構成によると、略円錐状（円錐状、円錐台形状、単葉双曲面状など）の整流部材の付設により、さらに滑らかで、安定した吸込み旋回流が形成され、さらなる風量―圧力特性の向上、静音化、軸動力の低減が図られる。
【００３９】
（１３）  請求項１３の発明の課題解決手段
この発明の課題解決手段は、上記請求項１，２，３，４，５，６，７，８，９，１０，１１又は１２の発明の課題解決手段の構成において、空気吸込流路終端の隅部には、断面三角形状の気流ガイド部材が設けられていることを特徴としている。
【００４０】
このように、適切なサイズの三角柱状の気流ガイド部材を空気吸込流路奥側の隅部に設置すると、さらになめらかで安定した吸込み旋回流が形成されるようになり、より有効に風量―圧力特性の向上、静音化、軸動力の低減が図られる。
【００４１】
また、該三角柱状（直角三角柱状）の気流ガイド部材の上端を窪み付にすることにより、上述の場合と同様のビス取付け座として利用することができる。
【００４２】
この場合、空気吸込流路の幅寸法をＬとした時、その短片の長さは０．１Ｌ程度が最適であり、大きくし過ぎるとファン性能を劣化させる。
【００４３】
（１４）  請求項１４の発明の課題解決手段
この発明の課題解決手段は、上記請求項１，２，３，４，５，６，７，８，９，１０，１１，１２又は１３の発明の課題解決手段の構成において、遠心ファンの羽根車は、シュラウドのない多翼羽根車であることを特徴としている。
【００４４】
このような構成によると、シュラウドレス遠心ファンの場合、シュラウド付遠心ファンよりも吸込口内径を大きくすることができるので、吸込口前の逆予旋回流の流入による悪影響が緩和され、特に静音化が顕著である。
【００４５】
（１５）  請求項１５の発明の課題解決手段
この発明の課題解決手段は、上記請求項１，２，３，４，５，６，７，８，９，１０，１１，１２，１３又は１４の発明の課題解決手段の構成において、空気調和手段と組み合わせ、空気調和機用の送風手段として構成されていることを特徴としている。
【００４６】
このような構成によると、風量−圧力特性が高く、静かで、軸動力の小さい斜流遠心吹出流路（全周吹き、四方向吹き、三方向吹き、二方向吹き）の空気調和機、また空気吸込流路の前方に水分吸着エレメントを配置した除湿装置等を実現することができる。
【００４７】
（１６）  請求項１６の発明の課題解決手段
この発明の課題解決手段は、上記請求項１，２，３，４，５，６，７，８，９，１０，１１，１２，１３又は１４の発明の課題解決手段の構成において、  空気吸込流路の空気流入口を長手方向に延設し、該延設部に機外空気を取り入れるための外気吸入口を設けるとともに、該外気吸入口の下流側に除湿手段を設け、該除湿手段を介して除湿された空気を上記空気吸込流路を介して遠心ファンに供給する除湿装置に適用したことを特徴としている。
【００４８】
このような構成によると、低圧損、低騒音で、軸方向に可及的薄型コンパクトな除湿装置を構成することができる。
【発明の効果】
【００４９】
以上の結果、本願発明によれば、良好なファン性能が実現され、同良好なファン性能のファンを用いて各種送風装置、空気調和装置の静音化、低軸動力化（省エネルギー化）が図られ、また併せて、それらの装置の軸方向寸法のコンパクト化が図られる。
【図面の簡単な説明】
【００５０】
【図１】本願発明の実施の形態１に係る送風装置の構成を示す断面図（図２のＡ−Ａ）である。
【図２】同送風装置の一部切欠下面図（図３のＣ−Ｃ）である。
【図３】同送風装置の中央断面図（図２のＢ−Ｂ）である。
【図４】同送風装置の整流部材の構成を示す斜視図である。
【図５】本願発明の実施の形態２に係る送風装置の構成を示す一部切欠下面図（図６のＣ−Ｃ）である。
【図６】同送風装置の構成を示す断面図（図５のＢ−Ｂ）である。
【図７】本願発明の実施の形態３に係る送風装置の構成を示す一部切欠下面図（図８のＣ−Ｃ）である。
【図８】同送風装置の構成を示す断面図（図７のＢ−Ｂ）である。
【図９】本願発明の実施の形態４に係る送風装置の構成を示す一部切欠下面図（図１０のＣ−Ｃ）である。
【図１０】同送風装置の構成を示す断面図（図９のＢ−Ｂ）である。
【図１１】本願発明の実施の形態５に係る送風装置の構成を示す断面図（図１２のＡ−Ａ）である。
【図１２】同送風装置の一部切欠下面図（図１３のＣ−Ｃ）である。
【図１３】同送風装置の中央断面図（図１２のＢ−Ｂ）である。
【図１４】同送風装置の整流部材の構成を示す斜視図である。
【図１５】本願発明の実施の形態６に係る送風装置の構成を示す断面図（図１６のＡ−Ａ）である。
【図１６】同送風装置の一部切欠下面図（図１７のＣ−Ｃ）である。
【図１７】同送風装置の中央断面図（図１６のＢ−Ｂ）である。
【図１８】本願発明の送風装置を用いて構成した本願発明の実施の形態７に係る空気調和装置の構成を示す断面図である。
【図１９】本願発明の実施の形態１に係る送風装置の整流部材の問題点を示す説明図（空気吸込流路の筺体底面の切欠図）である。
【図２０】本願発明の実施の形態８に係る送風装置の構成を示す断面図（図２１のＡ−Ａ）である。
【図２１】同送風装置の一部切欠下面図（図２２のＣ−Ｃ）である。
【図２２】同送風装置の中央断面図（図２１のＢ−Ｂ）である。
【図２３】本願発明の実施の形態１０に係る送風装置の構成を示す一部切欠下面図（図２４のＡ−Ａ）である。
【図２４】同送風装置の構成を示す断面図（図２５のＣ−Ｃ）である。
【図２５】同送風装置の構成を示す中央断面図（図２４のＢ−Ｂ）である。
【図２６】本願発明の実施の形態１１に係る送風装置の構成を示す断面図（図２７のＡ−Ａ）である。
【図２７】同送風装置の一部切欠下面図（図２８のＣ−Ｃ）である。
【図２８】同送風装置の中央断面図（図２７のＢ−Ｂ）である。
【図２９】同送風装置の整流部材の構成を示す拡大斜視図である。
【図３０】本願発明の実施の形態１２に係る送風装置の構成を示す断面図（図３１のＡ−Ａ）である。
【図３１】同送風装置の一部切欠下面図（図３２のＣ−Ｃ）である。
【図３２】同送風装置の中央断面図（図３１のＢ−Ｂ）である。
【発明を実施するための形態】
【００５１】
以下、本願発明の幾つかの実施の形態について、添付の図面を参照しながら詳細に説明する。
【００５２】
（実施の形態１）
先ず図１〜図４は、本願発明の実施の形態１に係る送風装置の構成を示している。
【００５３】
この送風装置１は、方形の偏平な本体ケーシング１１と、該本体ケーシング１１内に設けられた軸長の短かい遠心ファン２と、該遠心ファン２の羽根車２１の外周３方向に設けられた斜流遠心方向の空気吹出通路３，３，３と、上記遠心ファン羽根車２１の環状の空気吸込口４の外周を下方側から包囲する形で設けられ、上記遠心ファン羽根車２１の軸直交方向一方に開口された断面矩形形状（コの字形状）の空気吸込流路５とを備えるとともに、上記遠心ファン羽根車２１の空気吸込口４は、上記空気吸込流路５中に所定寸法Ｓだけ突出した構成となっている。また空気吸込流路５は、同遠心ファン羽根車２１の下方に突出した環状の空気吸込口４の外周囲を囲み、かつ上記斜流遠心方向の空気吹出通路３，３，３とその下面側通路壁１１ｃ部分を介して仕切られている。
【００５４】
本体ケーシング１１は、上記遠心ファン２の羽根車２１を吊設支持する天板部１１ａと、該天板部１１ａの外周から下方に延びる側壁部１１ｂと、該側壁部１１ｂから内側に延びる通路壁１１ｃの内端に連続しているとともに、同通路壁１１ｃよりも下方にあって、上記遠心ファン２の羽根車２１の羽根２１ｂ，２１ｂ・・・の下部側を覆う底板部１１ｄとからなり、上記側壁部１１ｂの３方部分には、上記天板部１１ａの外周と通路壁１１ｃ、底部板１１ｄによって、上記斜流遠心方向に延びる所定の長さの空気吹出通路３，３，３が形成されている。また底板部１１ｄは中央部が上記遠心ファン２の遠心羽根車２１の羽根２１ｂ，２１ｂ・・・の内径に対応して逆漏斗形状に開口されているとともに、同開口部を形成している底板部１１ｃは上記通路壁１１ｃの内端部分から上記所定寸法Ｓだけ下方に延びながら半径方向内側に円弧状に曲成された後、所定幅水平方向に延びるフラット面を形成し、同フラット面部の内側にベルマウス構造の空気吸込口４を形成している。
【００５５】
そして、同フラット面部およびベルマウス構造の空気吸込口４部分の全体が、上記所定寸法Ｓだけ下方、すなわち空気吸込流路５内に突出し、その外周囲に吸込空気の旋回方向への整流空間を形成している。
【００５６】
一方、空気吸込流路５は、上記本体ケーシング１１の側壁部１１ｂの下部に対して、底板１２ａ、側板１２ｂ，１２ｂ、背板１２ｃよりなる矩形構造（断面コの字形状）袖形の筺体（空気吸込流路形成用の板状筺体）１２を上記通路壁１１ｃおよび底板１１ｄとの間に各々所定の通路高さＨ，Ｌ（Ｈ＞Ｌ）を保った状態で、下方側から一体に取り付けることによって形成されている。
【００５７】
この実施の形態の場合、同空気吸込流路５の空気取入れ用の開口５ａは、上記本体ケーシング１１の空気吹出通路３，３，３のない側壁部１１ｂの下方側に設けられている。また、同空気取入れ用の開口５ａに対向する奥壁面は上記背板１２ｃにより閉じられている。
【００５８】
遠心ファン２の遠心羽根車２１は、所定の直径の円形の主板２１ａと、該主板２１ａの外周部下面側に所定の間隔を保って周方向に多数枚立設された羽根２１ｂ，２１ｂ・・・と、該多数枚の羽根２１ｂ，２１ｂ・・・のスパン方向他端部（下端部）の外周面に下部側曲成部を嵌合一体化して設けられた循環流形成用のリング部材２１ｃとからなり、上記主板２１ａの中央部側ボス部２１ｄをファンモータ６の駆動軸６ａに固着一体化し、ファンモータ６を介して上記本体ケーシング１１の天板部１１ａの中央部下面に吊設して支持されている。
【００５９】
なお、上記羽根２１ｂ，２１ｂ・・・を支持している主板２１ａの外周部は、上記本体ケーシング１１の天板部１１ａ内に形成された所定の深さの主板嵌合凹部７内に遊嵌される形で吊設されている。これにより、同主板２１ａ外周部の内面と天板１１ａ外周の空気吹出通路上壁面３ａとが同一面となっている。
【００６０】
すなわち、上記羽根車２１の空気出口部から斜流遠心方向に延びる上記空気吹出通路３，３，３は、それぞれ上述のように３方の側壁部１１ｂ，１１ｂ，１１ｂ部分に下流側吹出口を開口させることによって形成されているが、その通路上壁面３ａの高さは、上記主板嵌合凹部７への嵌合寸法を利用して上記羽根車２１の主板２１ａの外周部側羽根取付部の下面高さに等しい高さ（同一面）に形成されている。他方、その通路下壁面３ｂの高さは、上記羽根車２１の羽根他端部側リング部材２１ｃの後縁部（非曲成部側端部）ｂの上面の高さに等しくなるように形成されている。
【００６１】
また、この実施の形態の場合、上記底板１１ｄの上面側（本体ケーシング１１内送風路の上記リング部材２１ｃに対応する部分）には、図示のように所定の広さの空気流通空間８が形成されており、上記遠心羽根車２１の空気出口部下端側から上記空気吸込口４の背面側を通って再度上記遠心羽根車２１の空気吸込部下端側に吸い込まれる空気の循環流Ｆを容易且つ確実に形成し、斜流遠心方向に吹き出される吹出気流の乱れを抑制するようになっている。
【００６２】
このような構成の送風装置では、上記ファンモータ６が駆動されて、遠心ファン２の羽根車２１が図２の矢印のように回転すると、上記空気吸込流路５の空気取り入れ口５ａから空気吸込流路５内に、図１、図２の矢印で示すように空気が吸い込まれ、同空気吸込流路５内の空気が上記ベルマウス構造の空気吸込口４から遠心羽根車２１の羽根２１ｂ，２１ｂ・・・間に旋回しながら斜流遠心方向に吸い込まれて行くが、該円形のファン空気吸込口４に対して、同空気吸込口４の空気吸込方向と空気吸込流路５内への空気流入方向が一方向から直交する状態となるために、スムーズな吸込旋回流が形成されにくく、空気吸込口４付近に不安定な流れが生じやすい。その結果、風量−静圧特性が不安定となり、運転音が大きくなる問題がある。
【００６３】
そこで、この実施の形態では、上記遠心ファン羽根車２１側の環状の空気吸込口４を、上記空気吸込流路５中に所定寸法Ｓだけ突出した、外周面側および内周面側が共に円弧面状の断面長楕円形状の環状部材に構成している。これは、より具体的には同構造の空気吸込口４を形成する底板１１ｄ部全体を下方に突出させることによって実現される。
【００６４】
したがって、同下方に凸の環状部材となった空気吸込口４により空気吸込口４周囲での縮流作用が実現され、それによる整流効果によって空気吸込口４部分に安定した吸込旋回流が形成され、吸込状態がスムーズなものとなる。
【００６５】
その結果、風量−圧力特性が向上し、静音化、軸動力の低減が実現される。
【００６６】
また、同構成における空気吸込流路５は、遠心ファン羽根車２１の上記環状に突出した空気吸込口４の外周囲を囲み、かつ上記斜流遠心方向の空気吹出通路３，３，３とその通路壁１１ｃを介して仕切られている。
【００６７】
したがって、上記斜流遠心方向の空気吹出通路３，３，３の通路壁１１ｃ面を有効に利用しながら、袖型の空気吸込流路５の軸方向寸法Ｈを可能な限り大きくすることができる（Ｈ＝Ｌ＋Ｓ）。このため、吸込み旋回流が十分に緩和、安定化され、逆予旋回流入による悪影響が小さくなり、より良好な性能が得られる。
【００６８】
また、図示のように、上記空気吸込口４を形成している環状の底板１１ｄの内径側、外径側の各々の外周面部が丸みを帯びたものの場合、より良好な縮流整流効果が図られるので、さらに良好な性能を得ることができる。もちろん、このような丸みがなくても略同様の作用は得られる。
【００６９】
そして、以上のようにしてスムーズに羽根車２１内に吸い込まれた空気流は、同遠心羽根車２１の羽根２１ｂ，２１ｂ・・・の外周から空気吹出通路３，３，３を通して斜流遠心方向に吹き出されて行くが、この時、上記各羽根２１ｂ，２１ｂ・・・は、その反主板側端部の位置が空気吸込側から空気吹出側に向かうにしたがって、主板２１ａ側に近づく斜流方向への傾斜翼とされており、さらに同反主板側の端部にはシュラウドに代えて、同じ傾斜方向（斜流方向）に伸びるリング部材２１ｃが設けられている。しかも、このリング部材２１ｃは、その前縁部ａ側が底板１１ｄ側空気流通空間８内に少し延びて曲成されている。したがって、同リング部材２１ｃによる図示循環流Ｆの生成作用もより容易となる一方、上記斜流遠心方向への主流の流れもスムーズになる。
【００７０】
また、このようなシュラウドレス構造の遠心ファン羽根車の場合、シュラウド付遠心ファン羽根車の場合よりも空気吸込口４の内径を大きくすることができるので、空気吸込口４前の逆予旋回流流入による悪影響が効果的に緩和され、より静音化が顕著となる。
【００７１】
以上のように、遠心羽根車２１の下方側に環状に突出した空気吸込口４に対して袖形の空気吸込流路５を設けるようにすると、遠心ファン羽根車２１の空気吸込口４から直接吸込空気を吸い込むことが難しい場合等においても、遠心ファン羽根車２１の空気吸込口４に所望の方向から空気を供給することができ、また、その場合において、上述のような環状凸部の空気吸込口構造を採用すると、その縮流作用でスムーズな吸込作用（吸込旋回流生成作用）を実現することができ、静音化、軸動力の低減に寄与することができる。
【００７２】
しかし、同構成のままでは、上記空気吸込流路５の空気取入れ口５ａから取り入れられた空気流が環状の空気吸込口４部分に必ずしもスムーズな層流状態で旋回方向に進入するとは限らず、同部分で必ずしも適正な縮流作用が実現されるとは限らない。
【００７３】
そこで、この実施の形態では、このような問題を解決するために、上記空気吸込流路５の上流部、特に上記遠心ファン２の遠心羽根車２１の空気吸込口４の中心部よりも空気取入れ口５ａ側で、かつ遠心羽根車２１の空気吸込口４の外周よりも半直径方向外側に位置して、上記空気吸込流路５の左右の側板１２ｂ，１２ｂに平行な整流部材１３，１３を設けて整流することによって、空気吸込口４周辺に一層安定した吸込方向への旋回流を形成するようにしており、それによって、より有効に風量−圧力特性を向上させるとともに、可及的な静音化、軸動力の低減を図るようにしている。
【００７４】
種々の試験の結果、整流部材１３，１３が最も有効に機能する設置範囲が、上記位置であり、この設置範囲内では最も安定した吸込旋回流を形成することができる。
【００７５】
また、この場合、上記整流部材１３，１３は、図４に示すように、上流端１３ａ側空気流との対向面が大径のアール面で、下流側端部１３ｂに近くなるほど厚さが薄くなる断面紡錘形状のものよりなっており、形状抵抗が小さく、後流渦の発生も少ない。したがって、図２の矢印方向に流入する吸込気流が、空気吸込口４の左右両外側部分に層流状態でスムーズに案内され、同部分から空気吸込口４内に均等な旋回成分を伴いながらスムーズに吸込まれて行く。
【００７６】
したがって、このような構成によると、上述の位置に設けられた略断面紡錘形状の上記整流部材１３，１３による整流効果によって空気吸込口４部分に、さらに安定した吸込旋回流が形成されるようになる。
【００７７】
その結果、さらに風量−圧力特性が向上し、一層の静音化、軸動力の低減が実現される。
【００７８】
また、以上のような整流部材１３，１３は、空気吸込流路形成筺体１２の連結補強部材としても有効なものとなる。
【００７９】
（実施の形態２）
次に図５および図６は、本願発明の実施の形態２に係る送風装置の構成を示している。
【００８０】
この送風装置１では、上述した実施の形態１の構成において、さらに空気吸込流路５の底板（通路壁下面）１２ａ上の遠心ファンの羽根車２１の空気吸込口４との対向部には、略円錐形状、具体的には図６に示すような円錐面１４ｂとその頂部の小径のフラット面１４ａとからなる所定の高さの円錐台形状の整流部材１４を設けたことを特徴としている。
【００８１】
このような構成によると、上述の作用に加えて、さらに該円錐台形状の整流部材１４の付設により、該整流部材１４を中心軸として、さらに滑らかで、安定した吸込み旋回流が形成されるようになり、さらなる風量―圧力特性の向上、静音化、軸動力の低減が図られる。
【００８２】
この整流部材１４は、上記円錐台形状のものに限らず、さらに円錐形状、単葉双曲面状などのものでもよい。
【００８３】
（実施の形態３）
次に図７および図８は、本願発明の実施の形態３に係る送風装置の構成を示している。
【００８４】
この送風装置１では、上記実施の形態１の構成において、さらに上記空気吸込流路５終端の隅部（側板１２ｂ，１２ｂと背板１２ｃとの間の両コーナー部）には、断面三角形状（直角三角柱状）の気流ガイド部材１５，１５が設けられていることを特徴としている。
【００８５】
このように、適切なサイズの三角柱状の気流ガイド部材１５，１５を空気吸込流路５奥側の左右の隅部に設置すると、同部分での空気の回りが良くなり、さらに滑らかで安定した吸込み旋回流が形成されるようになるので、上述の作用に加えて、さらに風量―圧力特性の向上、静音化、軸動力の低減が図られる。
【００８６】
また、この場合、該三角柱状（直角三角柱状）の気流ガイド部材１５，１５の上端部を例えばネジ穴を備えた窪み付のものにすることにより、同窪み部をビス取付け座として利用することができる。
【００８７】
この気流ガイド部材１５は、例えば空気吸込流路の幅寸法をＬとした時、その短片部の長さは０．１Ｌ程度のものが最適であり、大きくし過ぎるとファン性能を劣化させる。
【００８８】
（実施の形態４）
次に図９および図１０は、本願発明の実施の形態４に係る送風装置の構成を示している。
【００８９】
この送風装置１では、上記遠心羽根車２１の空気吸込口４に対応して円錐台形状の整流部材１４を設けた実施の形態２の構成において、さらに上記実施の形態３のものと同様に、空気吸込流路５の終端の左右の隅部（側板１２ｂ，１２ｂと背板１２ｃとの間の両コーナー部）に、断面三角形状（三角柱状）の気流ガイド部材１５，１５を設けたことを特徴としている。
【００９０】
このように、適切なサイズの三角柱状の気流ガイド部材１５，１５を空気吸込流路５奥側の左右の隅部に設置すると、同部分での空気の回りが良くなり、上述の作用に加えて、さらに滑らかで安定した吸込み旋回流が形成されるようになるので、さらに風量―圧力特性の向上、静音化、軸動力の低減が図られる。
【００９１】
（実施の形態５）
次に図１１〜図１４は、本願発明の実施の形態５に係る送風装置の構成を示している。
【００９２】
この送風装置１では、上記実施の形態１の構成における整流部材１３，１３を、例えば図１１〜図１３に示すように、袖形の空気吸込流路５の筺体底板１２ａ上に一体成形（合成樹脂成形）によって中空状に立設することにより、上述した遠心ファン本体ケーシング１１の下面に対して袖形の同空気吸込流路５の筺体１２を固定する取付部材を兼ねるようにしたことを特徴としている。
【００９３】
このような構成にした場合、上記整流部材１３，１３を、例えば図１４に示すようにその上端１３ｄ側にビス止めが可能なネジ穴１３ｅを備えたものにすることにより、ビスの取付け座として有効に利用することができる。
【００９４】
従来の空気吸込流路の側面から延設されたビス取付け座は吸込み流れを乱し、ファン性能を劣化させていた。特にファン吸込口が羽根内径よりも大きくて翼端からも流入するシュラウドレス翼ターボファンでは静音特性が顕著に劣化していた（シロッコファンでは悪影響は比較的小さいが・・・）。
【００９５】
これを確実に解決することができる。
【００９６】
なお、この場合、図１４中に符号１３ｃで示す底部外周縁は、上述の底板１２ａに連続しているものである。
【００９７】
（実施の形態６）
次に図１５〜図１７は、本願発明の実施の形態６に係る送風装置の構成を示している。
【００９８】
この送風装置１では、上記実施の形態１の構成における整流部材１３，１３を、上流端１３側空気流との対向部が内部が中空の円筒体で、同円筒体の後面から下流端１３ｂまでが板状体のものにより形成したことを特徴としている。
【００９９】
このような構成によると、同円筒体と板状体との組合せよりなる整流部材１３，１３の整流効果により、上述の場合と同様の安定した吸込み旋回流が形成され、風量−圧力特性の向上、静音化、軸動力の低減が図られる。
【０１００】
（実施の形態７）
次に図１８は、本願発明の実施の形態７に係る送風装置の構成を示している。
【０１０１】
この送風装置１では、上記実施の形態１の構成における空気吸込流路５の最上流側空気取り入れ口５ａ部分を所定の長さ側方に延設するとともに上方側に開口させ、同上方への開口５ａ部分に水分吸着エレメント（吸湿材）１６を設置することにより、除湿用の空気調和装置として構成したことを特徴とするものである。
【０１０２】
このように本願発明は、熱交換器や除湿部材等各種の空気調和手段と組み合わせることによって、それら各空気調和装置を上述のものと全く同様の作用効果を伴う形で実現することができる。
【０１０３】
（実施の形態８）
次に図１９〜図２２は、上記実施の形態１の送風装置の問題点と同問題点を解決した本願発明の実施の形態８に係る送風装置の構成を示している。
【０１０４】
この送風装置では、上述した実施の形態１の構成における上流端側空気流との対向面が大径のアール面で、下流側端部に近くなるほど厚さが薄くなる断面紡錘形状の整流部材１３，１３を、遠心羽根車２１の空気吸込方向に傾斜させて設置したことを特徴とするものである。その他の部分の構成は、全て上述の実施の形態１の送風装置の構成のものと同様であり、同様の作用効果を奏する。
【０１０５】
上記実施の形態１の構成の構成によると、上流端側空気流との対向面が大径のアール面で、下流側端部に近くなるほど厚さが薄くなる断面紡錘形状の整流部材１３，１３の整流効果により、それぞれ遠心羽根車２１の空気吸込口４の吸込方向に沿った安定した吸込み旋回流が形成され、風量−圧力特性の向上、静音化、軸動力の低減が図られる。
【０１０６】
ところが、同整流部材１３，１３のように、上流側空気流との対向面が大径のアール面で、下流側になるほど厚さが薄くなる断面紡錘形状のものの場合、空気吸込流路５の側面と平行に並設される上流側から下流側に厚さ（幅）方向の寸法を超える所定値以上の長さの整流面を有しているために、例えば図１９に示すように、当該整流面の遠心羽根車２１の空気吸込口４に面する側で剥離が生じ、その剥離流が同空気吸込口４から遠心羽根車２１内に流入し、性能の劣化（送風音増加）を招く。すなわち、外側は背面に沿って後端からベルマウス中心に向かって流入し、内側は先端から略ベルマウス中心に向かって流入する。そのため、剥離を生じる。
【０１０７】
ところが、同様の構成の整流部材１３，１３を、図２０〜図２２に示すように、上記遠心羽根車２１の空気吸込方向に傾斜させて設けると、空気取入れ用の開口５ａから空気吸込流路５内に吸い込まれた空気流が空気吸込口４部分で上記遠心羽根車２１の空気吸込方向に沿って流れるようにスムーズにガイドされる。したがって、上述した空気吸込口側面での剥離が減少し、スムーズな吸込流れとなって性能が向上（送風音が低減）する。
【０１０８】
なお、図２１に示すように、この場合にも上記整流部材１３，１３は、その下流側端部１３ｂを含めて、上記遠心羽根車２１の空気吸込口４の直径方向外側（同空気吸込口４の内径間φ位置よりも空気吸込流路５の両側面側）に位置して設置される。
【０１０９】
また、この実施の形態の構成は、上記実施の形態１の場合だけでなく、全く同様の問題を有する上述した実施の形態２〜５の整流部材１３，１３の構成の場合にも全く同様に採用することができる。
【０１１０】
（実施の形態９）
なお上記実施の形態８で述べた実施の形態１の構成における問題点は、上流端１３ａ側空気流との対向部が円柱体、同円柱体よりも下流端部１３ｂ側が板状体のものよりなっている上述の実施の形態６（図１６〜図１７）の構成の整流部材１３，１３の場合にも、そのまま当てはまり、同様の剥離の問題が生じる。
【０１１１】
したがって、同上記実施の形態６における整流部材１３，１３を遠心羽根車２１の空気吸込方向に傾斜させて設置すると、上記実施の形態８の場合と同様に、上述した遠心羽根車２１の空気吸込口４側面での剥離が減少し、よりスムーズな吸込流れとなって性能が向上（送風音が低減）する。
【０１１２】
（実施の形態１０）
次に図２３〜図２５は、本願発明の実施の形態１０に係る送風装置の構成を示している。
【０１１３】
この送風装置では、上述した実施の形態８の構成の遠心羽根車２１の空気吸込方向に傾斜させて設けた整流部材１３，１３の内側面および外側面をそれぞれ空気吸込流の旋回方向に沿った湾曲面に形成したことを特徴とするものである。
【０１１４】
このような構成によると、上述した遠心羽根車２１の空気吸込口４側面での剥離が減少し、よりスムーズな吸込流れとなって、上述した整流部材１３，１３本来の整流効果がより向上し、より安定した吸込み旋回流が形成されるようになるので、さらなる風量−圧力特性の向上、静音化、軸動力の低減が図られる。
【０１１５】
なお、図２４に示すように、この場合にも上記整流部材１３，１３は、その下流側端部１３ｂを含めて、上記遠心羽根車２１の空気吸込口４の直径方向外側（空気吸込口４の内径間φ位置よりも空気吸込流路５の両側面側）に位置して設置される（但し、φの図示は省略）。
【０１１６】
また、この実施の形態の構成は、上記実施の形態１の場合だけでなく、全く同様の問題を有する上述した実施の形態２〜５の整流部材１３，１３の構成の場合にも全く同様に採用することができる。
【０１１７】
さらに、この実施の形態と同様の湾曲構成は、上記実施の形態９の整流部材１３，１３の下流側板状体部分においても採用可能である。
【０１１８】
（実施の形態１１）
次に図２６〜図２９は、本願発明の実施の形態１１に係る送風装置の構成を示している。
【０１１９】
この送風装置では、遠心羽根車２１の空気吸込口４部分に安定した吸込旋回流を形成するための整流部材１３，１３が、上述した各実施の形態の構成のように、上流側空気流との対向面が大径のアール面で、下流側になるほど厚さが薄くなる断面紡錘形状のものである場合や上流側空気流との対向部が円柱体で、同円柱体よりも下流側が板状体のものである場合など、吸込流路の側面と平行に並設される上流側から下流側に厚さ（幅）方向の寸法を超える所定値以上の長さの整流面を有したものではなく、例えば図２６〜図２９（特に図２９を参照）に示されるような上流側空気流との対向面がアール面の全体として円柱体状のものよりなっていることを特徴としている。
【０１２０】
このような構成によると、上述した各整流部材１３，１３と略同様の整流作用が得られることはもちろん、上記遠心羽根車２１の空気吸込口４の側面での剥離が確実に減少し、その分スムーズな吸込流れになり、安定した吸込み旋回流が形成されるようになるので、やはり風量−圧力特性の向上、静音化、軸動力の低減が図られる。
【０１２１】
なお、この実施の形態の場合、さらに上記円柱体状の整流部材１３，１３を前後で１／２に分割することにより、半円状の柱体とし、その円弧面側を上流側に配置して整流部材とすることも可能である。
【０１２２】
その場合にも、上記同様の必要な剥離低減作用を得ることができる。
【０１２３】
（実施の形態１２）
次に図３０〜図３２は、本願発明の実施の形態１２に係る送風装置の構成を示している。
【０１２４】
この送風装置では、上述した実施の形態１１の構成における円柱体状の整流部材１３，１３を内実型のものではなく、袖形の空気吸込流路５の筺体底板１２ａ上に一体成形（合成樹脂成形）することによって中空状に立設された中空の円筒体型のものとし、遠心ファンの本体ケーシング１１の下面に対して袖形の同空気吸込流路５の筺体１２を取付固定する取付部材を兼ねるようにしたことを特徴としている。
【０１２５】
このような構成にした場合、上述の実施の形態５の中空構造の整流部材１３，１３（図１４）の場合と同様に上記整流部材１３，１３を、その上端側にビス止めが可能なネジ穴を備えたものにすることにより、ビスの取付け座として有効に利用することができる。
【０１２６】
従来の空気吸込流路の側面から延設されたビス取付け座は吸込み流れを乱し、ファン性能を劣化させていた。特にファン吸込口が羽根内径よりも大きくて翼端からも流入するシュラウドレス翼ターボファンでは静音特性が顕著に劣化していた（シロッコファンでは悪影響は比較的小さいが・・・）。
【０１２７】
この実施の形態の構成では、これを確実に解決することができる。
【０１２８】
なお、この場合、同整流部材１３，１３の底部外周縁は、上記空気吸込流路５の筺体１２の底板１２ａに連続しているものである。
【０１２９】
（実施の形態１３）
上述した本願発明の整流部材１３，１３は、上記実施の形態１１および１２の構成のような円柱体および円筒体のものに限らず、例えば上流側空気流との対向面が凸状のアール面で、下流側が凹状のアール面である円弧状の板部材、例えば上記図３０〜図３２に示す実施の形態１２の円筒体状の整流部材１３，１３を半円状に前後２つに分割したようなものでもかまわない。
【０１３０】
そのような円弧状の整流部材１３，１３の場合にも略同様の剥離低減作用を得ることができる。
【０１３１】
（実施の形態１４）
上記実施の形態８〜１３の各構成における送風装置の場合にも、その空気吸込流路５の最上流側空気取り入れ口５ａ部分を、図１８の実施の形態７の場合と同様に所定の長さ側方（長手方向）に延設するとともに上方側に開口させ、同上方への開口５ａに水分吸着エレメント（吸湿材）１６を設置することにより、全く同様に除湿用の空気調和装置として構成することができる。
【０１３２】
その場合、上記水分吸着エレメントを水分吸脱着エレメントに変えることにより、除加湿装置として構成することも可能である。
【０１３３】
（他の実施の形態）
以上の実施の形態では、三方向吹きの吹き出し形態を採用した例で説明したが、この発明の構成は、例えば全周吹き、四方向吹き、二方向吹きなどの何れの方向の吹き出し形態の場合であっても全く同様に適用することができる。
【０１３４】
また、遠心ファンの一種の斜流ファンなどの場合にも全く同様に構成することができる。
【符号の説明】
【０１３５】
１は送風装置、２は遠心ファン、３は空気吹出通路、４は空気吸込口、５は空気吸込流路、５ａは空気取り入れ用の開口、６はファンモータ、１１は本体ケーシング、１１ａは天板部、１１ｂは側壁部、１１ｃは通路壁、１１ｄは底板部、１３は整流部材、１４は整流部材、１５は気流ガイド部材、１６は水分吸着エレメント、２１は羽根車、２１ａは主板、２１ｂは羽根、２１ｃはリング部材である。
【図１】
2010121616.tif 000003
【図２】
2010121616.tif 000004
【図３】
2010121616.tif 000005
【図４】
2010121616.tif 000006
【図５】
2010121616.tif 000007
【図６】
2010121616.tif 000008
【図７】
2010121616.tif 000009
【図８】
2010121616.tif 000010
【図９】
2010121616.tif 000011
【図１０】
2010121616.tif 000012
【図１１】
2010121616.tif 000013
【図１２】
2010121616.tif 000014
【図１３】
2010121616.tif 000015
【図１４】
2010121616.tif 000016
【図１５】
2010121616.tif 000017
【図１６】
2010121616.tif 000018
【図１７】
2010121616.tif 000019
【図１８】
2010121616.tif 000020
【図１９】
2010121616.tif 000021
【図２０】
2010121616.tif 000022
【図２１】
2010121616.tif 000023
【図２２】
2010121616.tif 000024
【図２３】
2010121616.tif 000025
【図２４】
2010121616.tif 000026
【図２５】
2010121616.tif 000027
【図２６】
2010121616.tif 000028
【図２７】
2010121616.tif 000029
【図２８】
2010121616.tif 000030
【図２９】
2010121616.tif 000031
【図３０】
2010121616.tif 000032
【図３１】
2010121616.tif 000033
【図３２】
2010121616.tif 000034